(57)【要約】    【課題】  各種の印刷仕様の紙の台本のコンテンツを見易い形態に編集して表示することが容易な台本編集装置および台本表示装置を実現する。    【解決手段】  台本編集装置１は、紙の台本４をスキャナ１３で読み取って電子化した台本コンテンツ情報を本体処理部１１００によって編集処理して外部メモリ２に格納し、台本表示装置３は、前記外部メモリ２から台本コンテンツ情報を読み出して表示し、任意の形態で頁めくり（頁更新）する。【選択図】  図３
2005080178.tif 000002
【特許請求の範囲】
【請求項１】
台本コンテンツ情報を入力する台本情報入力手段と、台本コンテンツ情報を記憶する記憶手段と、記憶した台本コンテンツ情報を編集する編集処理手段と、編集指示入力手段を備えた台本編集装置において、
前記編集処理手段は、記憶した台本コンテンツ情報のトリミング，頁配列変換，白黒反転，画像回転などの編集処理を前記編集指示入力手段からの指示入力に基づいて実行する編集処理部を備えたことを特徴とする台本編集装置。
【請求項２】
請求項１において、前記記憶手段は、編集した台本コンテンツ情報を記憶する着脱自在の記憶媒体を備えたことを特徴とする台本編集装置。
【請求項３】
コンテンツ情報を入力する情報入力手段と、コンテンツ情報を記憶する記憶手段と、記憶したコンテンツ情報を編集する編集処理手段と、編集指示入力手段を備えたコンテンツ情報編集装置において、
前記編集処理手段は、記憶したコンテンツ情報のトリミング，頁配列変換，白黒反転，画像回転などの編集処理を前記編集指示入力手段からの指示入力に基づいて実行する編集処理部を備えたことを特徴とするコンテンツ情報編集装置。
【請求項４】
編集された台本コンテンツ情報を入力する入力手段と、入力した台本コンテンツ情報を記憶する記憶手段と、台本コンテンツ情報を編集する表示処理手段と、表示手段と、表示指示入力手段を備え、
前記表示処理手段は、表示する台本コンテンツ情報の表示頁の更新，早送り，早戻しなどの表示処理を前記表示指示入力手段からの指示入力に基づいて実行する表示処理部を備えたことを特徴とする台本表示装置。
【請求項５】
請求項４において、前記表示指示入力手段は、表示した台本コンテンツ情報に対するメモ情報の書き込みと格納および読み出しを指示するメモ指示入力手段とその他の指示入力手段を備え、前記表示処理手段は、メモ指示入力手段からの指示入力に基づいて書き込むメモ情報の書き込み色を設定および実行するメモ情報処理部と、その他の指示手段からの指示入力に基づいて、表示する台本コンテンツ情報の頁更新の更新比率と更新時間を設定および実行する表示頁更新処理部を備えたことを特徴とする台本表示装置。
【請求項６】
請求項４において、前記表示指示入力手段は、前記表示手段における表示画面上に重合したタッチスイッチを備え、前記表示処理手段は、表示する台本コンテンツ情報の頁を前記タッチスイッチからの指示入力に基づいて更新する際の更新方向を、前記表示指示入力手段からの設定指示入力に応じて表示する表示処理を実行することを特徴とする台本表示装置。
【請求項７】
編集されたコンテンツ情報を入力する入力手段と、入力したコンテンツ情報を記憶する記憶手段と、コンテンツ情報を編集する表示編集処理手段と、表示手段と、表示指示入力手段を備え、
前記表示編集処理手段は、表示するコンテンツ情報の表示頁の更新，早送り，早戻しなどの表示編集処理を前記表示指示入力手段からの指示入力に基づいて実行する編集処理部を備えたことを特徴とするコンテンツ情報表示装置。
【請求項８】
台本コンテンツ情報を入力する台本情報入力手段と、台本コンテンツ情報を記憶する記憶手段と、記憶した台本コンテンツ情報を編集する編集処理手段と、編集指示入力手段を備え、
前記編集処理手段は、記憶した台本コンテンツ情報のトリミング，頁配列変換，白黒反転，画像回転などの編集処理を前記編集指示入力手段からの指示入力に基づいて実行する編集処理部を備えた台本編集装置と、
前記台本編集装置によって編集された台本コンテンツ情報を入力する入力手段と、入力した台本コンテンツ情報を記憶する記憶手段と、台本コンテンツ情報を編集する表示編集処理手段と、表示手段と、表示指示入力手段を備え、
前記表示編集処理手段は、表示する台本コンテンツ情報の表示頁の更新，早送り，早戻しなどの表示編集処理を前記表示指示入力手段からの指示入力に基づいて実行する表示編集処理部を備えた台本表示装置と、
を備えたことを特徴とする台本提供装置。
【請求項９】
コンテンツ情報を入力する台本情報入力手段と、コンテンツ情報を記憶する記憶手段と、記憶したコンテンツ情報を編集する編集処理手段と、編集指示入力手段を備え、
前記編集処理手段は、記憶したコンテンツ情報のトリミング，頁配列変換，白黒反転，画像回転などの編集処理を前記編集指示入力手段からの指示入力に基づいて実行する編集処理部を備えたコンテンツ情報編集装置と、
前記コンテンツ情報編集装置によって編集されたコンテンツ情報を入力する入力手段と、入力したコンテンツ情報を記憶する記憶手段と、コンテンツ情報を編集する表示編集処理手段と、表示手段と、表示指示入力手段を備え、
前記表示編集処理手段は、表示するコンテンツ情報の表示頁の更新，早送り，早戻しなどの表示編集処理を前記表示指示入力手段からの指示入力に基づいて実行する表示編集処理部を備えたコンテンツ情報表示装置と、
を備えたことを特徴とするコンテンツ情報提供装置。
【発明の詳細な説明】
【技術分野】
【０００１】
本発明は、台本編集装置および台本表示装置に関する。
【背景技術】
【０００２】
コンサートホールやドラマなどを撮影するカメラマンは、各撮影用途・種類別の紙の台本を、ドラマやコンサートの進行に従って各自が手めくりする方式が一般的であり、そのために、カメラの操作中には、台本をめくる時間をできるだけ短時間で済ませることが必要であり、台本めくりに熟練が必要であった。また、紙製の台本は、磨耗が激しくて破れ易く、保存にも制限があり、更に、コンサート会場の生演奏においては、しばしば台本をめくる音が聴衆の耳障りになる問題点がる。更に、紙の台本の場合には、台本を照らす豆電球が必要とされるために、コンサート会場では周りの観客に不要な明かりが漏れる問題があった。
【０００３】
このような問題を解決しようとして、例えばコンサートホールで使用する放送カメラ用の台本は、各カメラマンが使用する紙の台本を台本編集装置によって電子化した台本情報を台本表示装置によって表示することによって提供するように工夫した電子台本提供装置が提案されている。
【０００４】
例えば、特開２００２―３５４２９６号公報に記載された「テレビカメラ装置の電子台本装置」は、テレビカメラ装置の撮影画像が表示されるビューファインダに台本情報を表示することによって、ビューファインダから視線をそらすことなく台本を読むことができるテレビカメラ装置の電子台本装置を提案している。
【０００５】
また、特開２００２―３５４２９７号公報に記載された「テレビカメラ装置の電子台本装置」は、表示器に表示した台本情報を頁めくりするための操作ボタンをズームレートデマンドに設けることによって、カメラマンがテレビカメラ装置を両手で操作しながら台本の頁めくりを行うことができる電子台本装置を提案している。
【０００６】
更に、特開平１１―８８８２８号公報に記載された「ナレーション作成収録支援装置」は、従来の紙の台本を用いたナレーション作成収録において、収録済みの映像に追認するナレーション文の編集及びナレーションの収録をサポートする構成を提案している。
【０００７】
【特許文献１】特開２００２―３５４２９６号公報
【特許文献２】特開２００２―３５４２９７号公報
【特許文献３】特開平１１―８８８２８号公報
【発明の開示】
【発明が解決しようとする課題】
【０００８】
しかし、前述した従来の装置は、下記の点についての配慮がなされていない。
【０００９】
台本めくり（更新）方法について、方法（左めくり、右めくり）と使い勝手（めくり方向の指示表示）および飛び頁（複数頁毎にめくる）機能が提案されていない。
【００１０】
また、カメラマンが台本に認識し易い形態でメモを書き込む方法や手順が提案されていない。
【００１１】
紙の台本のコンテンツを、印刷種類別（片面印刷、両面印刷、任意頁印刷等）に入力および編集する手段が提案されていない。
【００１２】
従って、従来の電子台本提供装置は、各種の印刷種類（仕様）の紙の台本のコンテンツを見易い形態に表示することが困難である。
【００１３】
本発明の目的は、各種の印刷仕様の紙の台本のコンテンツを見易い形態に編集して表示することが容易な台本編集装置および台本表示装置を提案することにある。
【課題を解決するための手段】
【００１４】
本発明の台本編集装置の１つの特徴は、台本コンテンツ情報を入力する台本情報入力手段と、台本コンテンツ情報を記憶する記憶手段と、記憶した台本コンテンツ情報を編集する編集処理手段と、編集指示入力手段を備えた台本編集装置において、
前記編集処理手段は、記憶した台本コンテンツ情報のトリミング，頁配列変換，白黒反転，画像回転などの編集処理を前記編集指示入力手段からの指示入力に基づいて実行する編集処理部を備えたことにある。
【００１５】
そして、前記記憶手段は、編集した台本コンテンツ情報を記憶する着脱自在の記憶媒体を備えたことを特徴とする。
【００１６】
本発明のコンテンツ情報編集装置の特徴は、コンテンツ情報を入力する情報入力手段と、コンテンツ情報を記憶する記憶手段と、記憶したコンテンツ情報を編集する編集処理手段と、編集指示入力手段を備えたコンテンツ情報編集装置において、
前記編集処理手段は、記憶したコンテンツ情報のトリミング，頁配列変換，白黒反転，画像回転などの編集処理を前記編集指示入力手段からの指示入力に基づいて実行する編集処理部を備えたことにある。
【００１７】
本発明の台本表示装置の特徴は、編集された台本コンテンツ情報を入力する入力手段と、入力した台本コンテンツ情報を記憶する記憶手段と、台本コンテンツ情報を編集する表示処理手段と、表示手段と、表示指示入力手段を備え、
前記表示処理手段は、表示する台本コンテンツ情報の表示頁の更新，早送り，早戻しなどの表示処理を前記表示指示入力手段からの指示入力に基づいて実行する表示処理部を備えたことにある。
【００１８】
そして、前記表示指示入力手段は、表示した台本コンテンツ情報に対するメモ情報の書き込みと格納および読み出しを指示するメモ指示入力手段とその他の指示入力手段を備え、前記表示処理手段は、メモ指示入力手段からの指示入力に基づいて書き込むメモ情報の書き込み色を設定および実行するメモ情報処理部と、その他の指示手段からの指示入力に基づいて、表示する台本コンテンツ情報の頁更新の更新比率と更新時間を設定および実行する表示頁更新処理部を備えたことを特徴とする。
【００１９】
また、前記表示指示入力手段は、前記表示手段における表示画面上に重合したタッチスイッチを備え、前記表示処理手段は、表示する台本コンテンツ情報の頁を前記タッチスイッチからの指示入力に基づいて更新する際の更新方向を、前記表示指示入力手段からの設定指示入力に応じて表示する表示処理を実行することを特徴とする。
【００２０】
本発明のコンテンツ情報表示装置は、編集されたコンテンツ情報を入力する入力手段と、入力したコンテンツ情報を記憶する記憶手段と、コンテンツ情報を編集する表示編集処理手段と、表示手段と、表示指示入力手段を備え、
前記表示編集処理手段は、表示するコンテンツ情報の表示頁の更新，早送り，早戻しなどの表示編集処理を前記表示指示入力手段からの指示入力に基づいて実行する編集処理部を備えたことにある。
【００２１】
本発明の台本提供装置は、台本コンテンツ情報を入力する台本情報入力手段と、台本コンテンツ情報を記憶する記憶手段と、記憶した台本コンテンツ情報を編集する編集処理手段と、編集指示入力手段を備え、
前記編集処理手段は、記憶した台本コンテンツ情報のトリミング，頁配列変換，白黒反転，画像回転などの編集処理を前記編集指示入力手段からの指示入力に基づいて実行する編集処理部を備えた台本編集装置と、
前記台本編集装置によって編集された台本コンテンツ情報を入力する入力手段と、入力した台本コンテンツ情報を記憶する記憶手段と、台本コンテンツ情報を編集する表示編集処理手段と、表示手段と、表示指示入力手段を備え、
前記表示編集処理手段は、表示する台本コンテンツ情報の表示頁の更新，早送り，早戻しなどの表示編集処理を前記表示指示入力手段からの指示入力に基づいて実行する表示編集処理部を備えた台本表示装置と、
を備えたことにある。
【００２２】
本発明のコンテンツ情報提供装置は、コンテンツ情報を入力する台本情報入力手段と、コンテンツ情報を記憶する記憶手段と、記憶したコンテンツ情報を編集する編集処理手段と、編集指示入力手段を備え、
前記編集処理手段は、記憶したコンテンツ情報のトリミング，頁配列変換，白黒反転，画像回転などの編集処理を前記編集指示入力手段からの指示入力に基づいて実行する編集処理部を備えたコンテンツ情報編集装置と、
前記コンテンツ情報編集装置によって編集されたコンテンツ情報を入力する入力手段と、入力したコンテンツ情報を記憶する記憶手段と、コンテンツ情報を編集する表示編集処理手段と、表示手段と、表示指示入力手段を備え、
前記表示編集処理手段は、表示するコンテンツ情報の表示頁の更新，早送り，早戻しなどの表示編集処理を前記表示指示入力手段からの指示入力に基づいて実行する表示編集処理部を備えたコンテンツ情報表示装置と、
を備えたことにある。
【発明の効果】
【００２３】
本発明は、各種の印刷仕様の紙の台本のコンテンツを見易い形態に編集して表示することが容易な台本編集装置および台本表示装置を実現することができる。
【発明を実施するための最良の形態】
【００２４】
本発明の台本編集装置は、紙製の台本をイメージスキャナで読み取って生成した台本コンテンツ情報を入力する台本情報入力手段と、台本コンテンツ情報を記憶する記憶手段と、記憶した台本コンテンツ情報を編集する編集処理手段と、編集指示入力手段を備えた台本編集装置において、
前記編集処理手段は、記憶した台本コンテンツ情報のトリミング，頁配列変換，白黒反転，画像回転などの編集処理を前記編集指示入力手段からの指示入力に基づいて実行する編集処理部を備え、編集した台本コンテンツ情報を着脱自在の記憶媒体に記憶させるように構成する。
【００２５】
また、本発明の台本表示装置は、編集された台本コンテンツ情報を入力する入力手段と、入力した台本コンテンツ情報を記憶する記憶手段と、台本コンテンツ情報を編集する表示編集処理手段と、表示手段と、表示指示入力手段を備え、
前記表示編集処理手段は、表示する台本コンテンツ情報の表示頁の更新，早送り，早戻しなどの表示編集処理を前記表示指示入力手段からの指示入力に基づいて実行する表示編集処理部を備え、前記表示指示入力手段は、表示した台本コンテンツ情報に対するメモ情報の書き込みと格納および読み出しを指示するメモ指示入力手段とその他の指示入力手段を備え、
前記表示編集処理手段は、メモ指示入力手段からの指示入力に基づいて書き込むメモ情報の書き込み色を設定および実行するメモ情報処理部と、その他の指示手段からの指示入力に基づいて、表示する台本コンテンツ情報の頁更新の更新比率と更新時間を設定および実行する表示頁更新処理部を備え、
前記表示指示入力手段は、前記表示手段における表示画面上に重合したタッチスイッチを備え、前記表示編集処理手段は、表示する台本コンテンツ情報の頁を前記タッチスイッチからの指示入力に基づいて更新する際の更新方向を、前記表示指示入力手段からの設定指示入力に応じて表示する表示編集処理を実行する構成とする。
【実施例１】
【００２６】
本発明の実施例１を図面を参照して説明する。
【００２７】
図１および図２は、この実施例１を実現する台本編集装置と台本表示装置の構成を示すブロック図である。
【００２８】
図１に示す台本編集装置１は、本体処理部１１とスキャナ接続端子１２とイメージスキャナ１３とＬＣＤ表示器１４と該ＬＣＤ表示器１４上に重合した透明な入力タブレット（タッチスイッチ）１５と外部メモリスロット１６を備える。前記ＬＣＤ表示器１４と該ＬＣＤ表示器１４上に重合された入力タブレット１５は、編集指示入力手段を構成する。
【００２９】
本体処理部１１は、バス１１１を介して接続されたＣＰＵ１１２とＲＡＭ１１３とＲＯＭ１１４と入出力インターフェース１１５を備える。入出力インターフェース１１５は、スキャナ接続端子１２を介してイメージスキャナ１３と接続し、ＬＣＤ表示器１４と入力タブレット１５と外部メモリスロット１６には直に接続する。
【００３０】
そして、ＣＰＵ１１２は、ＲＯＭ１１４に記憶（格納）されている編集処理プログラムを実行することによって、各種の編集処理メニューをＬＣＤ表示器１４に表示し、入力タブレット１５からの指示入力に従って、イメージスキャナ１３で読み取った紙製の台本の台本コンテンツ情報を入力してＲＡＭ１１３に記憶（格納）し、外部メモリスロット１６に装着された台本コンテンツ情報記憶媒体である半導体メモリやフロッピディスクのような外部メモリ２に記憶（格納）されている台本コンテンツ情報を読み出し（入力し）てＲＡＭ１１３に記憶（格納）し、ＬＣＤ表示器１４に表示し、編集し、編集した台本コンテンツ情報をＲＡＭ１３や外部メモリスロット１６に装着された台本コンテンツ情報記憶媒体である半導体メモリやフロッピディスクのような外部メモリ２に記憶（格納）させる各種の編集処理機能を実現する。
【００３１】
図２に示す台本表示装置３は、本体処理部３１とＬＣＤ表示器３４と該ＬＣＤ表示器３４上に重合した透明な入力タブレット（タッチ入力スイッチ）３５と外部メモリスロット３６を備える。前記ＬＣＤ表示器１４と該ＬＣＤ表示器１４上に重合された入力タブレット１５は、表示指示入力手段を構成する。
【００３２】
本体処理部３１は、バス３１１を介して接続されたＣＰＵ３１２とＲＡＭ３１３とＲＯＭ３１４と入出力インターフェース３１５を備える。入出力インターフェース３１５は、ＬＣＤ表示器３４と入力タブレット３５と外部メモリスロット３６に接続する。
【００３３】
そして、ＣＰＵ３１２は、ＲＯＭ３１４に記憶（格納）されている表示処理プログラムを実行することによって、各種の編集処理メニューをＬＣＤ表示器３４に表示し、入力タブレット３５からの指示入力に従って、外部メモリスロット１６に装着された台本コンテンツ情報記憶媒体である半導体メモリやフロッピディスクのような外部メモリ２に記憶（格納）された台本コンテンツ情報を読み出し（入力し）てＲＡＭ３１３に記憶（格納）し、ＬＣＤ表示器３４に表示し、編集し、外部メモリスロット３６に装着された外部メモリ２に記憶（格納）させる各種の表示処理機能を実現する。
【００３４】
図３は、この実施例１における前記台本編集装置１の機能ブロック図である。
【００３５】
この台本編集装置１における本体処理部１１００の各処理部は、バス１１１とＣＰＵ１１２とＲＡＭ１１３とＲＯＭ１１４と入出力インターフェース１１５によって実行する編集処理により実現する。
【００３６】
イメージスキャナ１３は、紙製の台本４を読み込んでコンテンツを電子化して台本コンテンツ情報として出力する。
【００３７】
本体処理部１１００は、コンテンツ情報記憶処理部１１１０と記憶部１１２０とコンテンツ情報編集処理部１１３０とコンテンツ情報出力処理部１１４０と入力処理部１１５０と白黒反転情報チェック処理部１１６０と表示処理部１１７０を備え、外部メモリ２とＬＣＤ表示器１４と入力タブレット１５に接続される。
【００３８】
コンテンツ情報記憶処理部１１１０は、イメージスキャナ１３によって電子化された台本コンテンツ情報や外部メモリ２に格納されている台本コンテンツ情報を取り込み、記憶部（データベース＝ＤＢ）１１２０に記憶（格納）する。コンテンツ情報編集処理部１１３０は、台本コンテンツ情報を紙の台本の種類（片面頁印刷，両面頁印刷，裏面頁逆さ印刷等）に従った処理機能部で処理する。このコンテンツ情報編集処理部１１３０における処理機能は、図４を参照して後述する。
【００３９】
入力タブレット１５は、ＬＣＤ表示器１４の表示画面に透明なタブレットスイッチフィルムを重合して構成したものであって、台本編集者がＬＣＤ表示器１４の表示画像（指示入力ボタン）を見ながら入力タブレット１５の該当ボタン位置をタッチ（押圧操作）して希望する指示（コマンド）を入力する。入力処理部１１５０は、入力タブレット１５から入力されたコマンドを白黒反転情報チェック部１１６０に入力し、コンテンツ情報編集処理部１１３０と表示処理部１１７０に転送する。コンテンツ情報編集処理部１１３０は、コンテンツ情報を操作者の希望する形態に編集し、コンテンツ情報出力処理部１１４０に送出して外部メモリ２に格納する。この外部メモリ２は、台本表示装置３の外部メモリスロット３６に装着して該外部メモリ２に格納されている台本コンテンツ情報（台本）を表示再生するように使用する。
【００４０】
図４は、コンテンツ情報編集処理部１１３０の処理機能を示すブロック図である。コンテンツ情報入力処理部１１３１は、台本コンテンツ情報を入力し、デコーダ１１３２によって指示入力（コマンド）に従って適合する処理機能部に分配する。入力した台本が片面頁印刷の場合は、片面頁入力処理部１１３３に分配して処理し、両面頁印刷の場合は、両面頁入力処理部１１３４に分配して処理し、それぞれ見開き頁画像コンテンツ情報に編集する。また、裏面頁の印刷画像が逆さである場合は、裏面頁画像回転処理部１１３５に分配して台本コンテンツ情報を回転させて見開き頁画像に編集する。また、白黒反転要求が入力された場合は、白黒反転チェック処理部１１３６に移行して画像反転処理を行う。頁整合性チェック処理部１１３７は、頁逆さまコンテンツ入力や画像編集（トリミング，シャープネス）状態をチェックし、頁配列処理部１１３８は、頁が正しくシーケンシャルに並べられているか、最初の頁が奇数・偶数の何れかをチェックし、偶数で始まる場合は、最初の頁にダミーの頁追加するなどの頁配列処理を行う。
【００４１】
図５は、この実施例１における台本表示装置３の機能ブロック図である。
【００４２】
この台本表示装置３における本体処理部３１００の各処理部は、バス３１１とＣＰＵ３１２とＲＡＭ３１３とＲＯＭ３１４と入出力インターフェース３１５によって実行する表示処理により実現する。
【００４３】
本体処理部３１００は、コンテンツ情報入力処理部３１０１とコンテンツ情報記憶処理部３１０２と記憶部３１０３と編集処理部３１０４と表示処理部３１０５と３ステートバスドライバー３１０６と入力処理部３１０７とデコーダ３１０８と登録コンテンツファイル表示処理部３１０９と頁更新処理部３１１０と書き込み処理部３１１１と一括部分削除処理部３１１２とタッチスイッチ選択処理部３１１３と画面仕様選択処理部３１１４と書き込み機能選択処理部３１１５を備える。
【００４４】
コンテンツ情報入力処理部３１０１は、外部メモリスロットに装着された外部メモリ２に格納されている台本コンテンツ情報を読み出してコンテンツ情報記憶処理部３１０２を介して記憶部３１０３に格納させる。記憶部３１０３に格納した台本コンテンツ情報は、コンテンツ情報記憶処理部３１０２によって読み出して編集処理部３１０４によって所望の台本のフォーマットに編集し、表示処理部３１０５によって画像データに変換し、３ステートバスドライバー３１０６を介してＬＣＤ表示器３４に送って台本コンテンツ画像として表示する。
【００４５】
入力タブレット３５は、ＬＣＤ表示器３４の表示画面に透明なタブレットスイッチフィルムを重合して構成したものであって、カメラマンなどの操作者は、ＬＣＤ表示器３４に表示された台本コンテンツ画像を見ながら表示指示入力手段として表示された指示入力ボタンをタッチして各種指示（コマンド）を入力する。入力処理部３１０７は、入力タブレット３５から入力されるコマンドを指示入力情報として入力し、デコーダ３１０８によってコマンドに応じた処理部に分配する。このコマンド（指示入力ボタン）の一覧画面および機能は、図６〜図８を参照して後述する。
【００４６】
入力タブレット３５のファイルボタンが押された場合は、登録コンテンツファイル表示処理部３１０９に移行して格納された指定のファイルを表示させ、頁関係のボタン（進む，戻る）が押された場合は、頁更新処理部３１１０に移行して頁更新を行い、書き込みボタンが押された場合は、書き込み処理部３１１１に移行し、一括／部分削除ボタンが押された場合は、一括／部分削除処理部３１１２に移行し、タッチスイッチボタンが押された場合は、タッチスイッチ選択処理部３１１３に移行し、画面仕様選択処理部３１１４と書き込み機能選択処理部３１１５は、それぞれ画面表示や機能に関わるパラメータを設定する。
【００４７】
これらの処理機能の実現を指示する指示入力ボタンを表示画面に表示した図６〜図８参照して詳述する。
【００４８】
図６〜図８は、台本表示装置３のＬＣＤ表示器３４に台本コンテンツ画像４１を表示した主画像領域３４１と表示指示入力手段としての指示入力ボタン３５１ａ〜３５１ｎを表示した補助画像領域３４２を示しており、図６は、外部メモリ２に格納された台本コンテンツ情報を読み出して台本コンテンツ画像４１を表示した主画像３４１と、指示入力ボタン３５１ａ〜３５１ｎを表示した補助画像領域３４２を例示し、図７は、補助画像領域３４２の指示入力ボタン３５１ａ〜３５１ｎにおける設定ボタン３５１ｈによるパラメータ設定画像３５２を台本コンテンツ画像４１の上に重ねて表示した主画像領域３４１を例示し、図８は、補助画像領域３４２の指示入力ボタン３５１ａ〜３５１ｎにおける「ペン種別」３５１ｍが押されたときに表示するパラメータ設定画像３５３を台本コンテンツ画像４１の上に重ねて表示した主画像領域３４１を例示している。
【００４９】
各指示入力ボタン３５１ａ〜３５１ｎは、一度押されたボタンの表示色が変化して該当する機能が稼動中であることを表示する。再び同じボタンが押されると当該機能の稼動が停止してボタンの表示色が元に戻る。
【００５０】
指示入力ボタンを押すことによって指示されるボタンと機能の関係を説明すると、ボタン「進１」３５１ａ，「戻１」３５１ｂを押すことによる指示入力は、設定された最小頁（例えば１頁）の画面歩進または戻りの指示を意味する。
【００５１】
ボタン「進２」３５１ｃ，「戻２」３５１ｄを押すことによる指示入力は、他の設定された頁（例えば５頁）の画面歩進または戻りの指示を意味する。
【００５２】
ボタン「進３」３５１ｅ，「戻３」３５１ｆを押すことによる指示入力は、設定された最大頁（例えば１０頁）の画面歩進または戻りの指示を意味する。
【００５３】
ボタン「ファイル」３５１ｇを押すことによる指示入力は、登録された台本コンテンツ情報ファイルの一覧表を表示し、表示順番の変更や削除／追加を可能にすることの指示を意味する。
【００５４】
ボタン「設定」３５１ｈは、図７に例示したように、タッチスイッチ設定ボタンであるボタン「頁進行向き表示」３５１ｎの指示入力の内容を設定するパラメータ設定画像３５２を表示して該タッチスイッチ設定ボタン「頁進行向き表示」３５１ｎの頁歩進仕様，頁更新仕様（半頁分割表示遅れ時間指定），画面表示の表示上下正規／逆転仕様を設定する指示を入力する。「タッチスイッチ」は、主画像領域３４１の左右半分の領域の何れかをタッチすることによる「進む」，「戻る」を指示入力する機能である。例えば、このタッチスイッチ設定ボタン「頁進行向き表示」３５１ｎが押されてタッチスイッチが機能する場合は、パラメータ設定画面３５２に設定された頁更新仕様に基づき、設定されている頁歩進仕様（パラメータ設定例：主画像領域３４１の左半分領域がタッチされたときに進む、右半分領域がタッチされたときに戻る）に従って、タッチスイッチ設定ボタン「頁進行向き表示」３５１ｎに左向きの表記を表示し、逆の設定の場合は、右向きの表記を表示する。
【００５５】
ボタン「書き込み」３５１ｉを押すことによる指示入力は、ＬＣＤ表示器３４の画面上に任意の文字（メモ）を書き込みすることを可能にすることの指示を意味する。このボタン「書き込み」３５１ｉを再び押すことによる指示入力は、書き込んだメモ情報を記憶部３１０３に格納し、ボタンの表示色を元に戻すことの指示を意味する。
【００５６】
ボタン「部分削除」３５１ｊを押すことによる指示入力は、消しゴム機能の実現する指示であり、このボタンによる指示が有効であるときには、書き込んだメモを消すことが可能であることを意味する。
【００５７】
ボタン「一括削除」３５１ｋを押すことによる指示入力は、ボタン「書き込み」３５１ｉによる指示入力に基づく書き込み機能において書き込まれたメモを一括して削除することの指示を意味する。
【００５８】
ボタン「ペン種別」３５１ｍを押すことによる指示入力は、図８に例示するように、書き込み機能選択パラメータ設定画像３５３を表示し、ペンの太さや色の選択を設定することの指示を意味する。この色の選択に従って、ペン種別のパレット色が同様に同色化する。即ち、パラメータ設定画像３５３で色を青に設定した場合は、ペン種別のボタン色を青色で表示し、現在の書き込み色に何色が選択されているかを操作者に認識させるようにする。
【００５９】
図９は、台本編集装置１における本体処理部１１のＣＰＵ１１２が実行する編集処理のフローチャートである。
【００６０】
ステップＡ１
電源がオンすると、ＬＣＤ表示器１４に図１６に示すような初期画像１４１を表示する。
【００６１】
ステップＡ２
初期画像１４１のボタン「起動」１４１ａが押されたことを入力タブレット１５からの指示入力で確認すると、図１７に示すように、実行する編集機能を設定（選択）する編集機能設定メニュー画像１４２を表示し、実行する編集機能を入力タブレット１５からの指示入力（選択）により設定させる。
【００６２】
ステップＡ３
編集機能設定メニュー画像１４２のボタン「スキャナ入力」１４２ａが選択されたかどうかを入力タブレット１５からの選択指示入力で確認する。
【００６３】
ステップＡ４
ボタン「スキャナ入力」１４２ａが選択されると、イメージスキャナ１３から台本コンテンツ情報を入力するスキャナ入力処理を実行する。このスキャナ入力処理ステップＡ４の詳細を図１０を参照して説明する。
【００６４】
ステップＡ４ａ
図１８に示すように、スキャナ入力設定メニュー画像１４３を表示し、スキャナ１３による台本のコンテンツの取り込み方式を、インプットイメージ１４３ａのモード（白黒モード、カラーモード、グレースケールモード）と解像度、用紙サイズ１４３ｂ、読み取り面の種類１４３ｃについて指示入力に基づいて設定する。
【００６５】
ステップＡ４ｂ
ステップＡ４ａにおいて設定された台本コンテンツ情報読み取り方式における読み取り面の種類１４３ｃの設定内容に従って処理部を設定する。
【００６６】
ステップＡ４ｃ
読み取る台本の読み取り面が片面頁印刷の場合には、片面頁入力処理部を設定する。
【００６７】
ステップＡ４ｄ
読み取る台本の読み取り面が両面頁印刷の場合には、両面頁入力処理部を設定する。
【００６８】
ステップＡ４ｅ
読み取る台本の読み取り面が両面頁印刷で裏面の画像（コンテンツ）が逆さ印刷で回転させる必要がある場合には、裏面画像回転処理部を設定する。
【００６９】
ステップＡ４ｆ
設定した処理部の処理機能によって台本コンテンツ情報を入力する。この台本コンテンツ情報の入力は、図１９に示すように、頁読み込み画像１４４を表示し、頁の開始番号１４４ａと頁の付番方法１４４ｂ（１頁から順番、１，３，５のスキップ順番）を選択した後にボタン「スキャン」１４４ｃが押されることによってイメージスキャナ１３を制御して実行する。
【００７０】
設定された台本（頁）のスキャン（台本コンテンツの読み込み）が終了すると、図２０に示すように、頁終了／続行選択画像１４５を表示し、スキャンの続行、スキャンを終了して編集処理に移る、を選択させる。
【００７１】
ステップＡ５
ステップＡ３においてボタン「スキャナ入力」１４２ａの選択指示入力が確認されないときには、ボタン「ソース直接入力」１４２ｄの選択指示入力を確認する。この「ソース直接入力」は、他の情報編集装置で編集して外部メモリ２に格納した台本コンテンツ情報を該外部メモリ２からソースデータとして読み込んで入力することの指示入力を意味する。
【００７２】
ステップＡ６
入力した台本コンテンツ情報およびソースデータを記憶部１２２に格納して保存する。
【００７３】
ステップＡ７
ボタン「編集」１４２ｂの指示入力を確認して処理を分岐する。
【００７４】
ステップＡ８
「編集」１４２ｂからの指示入力があるとコンテンツ情報編集処理を実行する。この編集処理ステップＡ８の詳細を図１１を参照して説明する。この編集処理ステップにおける各編集処理は、「戻る」，「次へ」が指示入力されることによって前の編集処理，次の編集処理に移る。
【００７５】
ステップＡ８ａ
編集処理機能設定画像として、図２１に示すように、白黒反転と画像回転設定メニュー画像１４６を表示し、「白黒反転」１４６ａと「画像回転」１４６ｂを指示入力して設定させる。
【００７６】
ステップＡ８ｂ
「白黒反転」１４６ａ，「画像回転」１４６ｂに対する指示入力の設定の有無を確認して処理を分岐する。「戻る」１４６ｃ，「次へ」１４６ｄｉ対する指示入力があると、他の編集処理に移る。
【００７７】
ステップＡ８ｃ
「白黒反転」１４６ａ，「画像回転」１４６ｂが設定されている場合には、設定内容に従って台本コンテンツ情報の画素の白黒反転処理，画像回転処理を実行する。
【００７８】
ステップＡ８ｄ〜Ａ８ｇ
図２１における「次へ」１４６ｄが指示入力されると、図２２に示す見開き頁結合画像１４７を表示し、その設定に従って、入力された頁（最初の頁と次頁）を１枚の頁に結合するかどかうかを確認し、「見開き頁に結合する」場合には、「結合の方法」１４７ａを「左から右」（左から１頁）または「右から左」（右から１頁）で配列するように選択的に設定する。更に、「空白頁」１４７ｂに最初の頁を空白にするかどうかを設定し、それぞれの編集処理を実行する。
【００７９】
ステップＡ８ｈ
図２２における「次へ」が指示入力されると、トリミング指示入力の有無を確認して処理を分岐する。
【００８０】
ステップＡ８ｉ
このトリミング処理では、先ず、図２３に示すように、トリミング指定画像１４８を表示して「選択項目」１４８ａにおける「全頁共通にトリミング指定」，「奇数／偶数頁にトリミング指定」を選択的に指示入力して設定させ、次いで、図２４に示すように、トリミング領域指定画像１４９を表示し、バーバンドや左右・上下位置を調整しながら抽出する。
【００８１】
ステップＡ８ｊ
全頁の編集処理が終了したかどうかを確認して処理を分岐する。
【００８２】
ステップＡ８ｋ
編集処理が未終了のときに頁カウンターを歩進してステップＡ８ｂに戻って次の頁の編集処理を実行する。
【００８３】
ステップＡ８ｍ
総ての頁の編集処理が終了すると、図２５に示すように、画像出力設定メニュー画像１４１１を表示し、編集ファイル名称を「大分類名」１４１１ａ，「中分類名」１４１１ｂ，「小分類名」１４１ｃに設定入力させ、更に、「頁開始番号」１４１１ｄを設定入力させて記憶部１１２０に格納する。
【００８４】
ステップＡ９
ボタン「出力」１４２ｃからの指示入力を確認して処理を分岐する。
【００８５】
ステップＡ１０
編集した台本コンテンツ情報の出力処理（外部メモリ２への転送処理）を実行する。この出力処理ステップＡ１０の詳細を図１２を参照して説明する。
【００８６】
ステップＡ１０ａ
図２６に示すようなファイル転送設定画像１４１２を開き、ステップＡ８において編集して記憶部１１２０に格納している台本コンテンツ情報のファイルを「フォルダ一覧」１４１２ａに表示する。
【００８７】
ステップＡ１０ｂ
外部メモリスロット１６に外部メモリ２を装着するように案内する。
【００８８】
ステップＡ１０ｃ
外部メモリスロット１６に装着された外部メモリ２に格納されている台本コンテンツ情報ファイルを読み出して「フォルダ一覧」１４１２ｂに表示する。
【００８９】
ステップＡ１０ｄ
「フォルダ一覧」１４１２ａに表示された台本コンテンツ情報ファイルから転送対象の台本コンテンツ情報ファイルを選択させる。
【００９０】
ステップＡ１０ｅ
転送指示入力を確認して処理を分岐する。
【００９１】
ステップＡ１０ｆ
選択された転送対象の台本コンテンツ情報ファイルを外部メモリスロット１６に装着された外部メモリ２に転送（格納）する。
【００９２】
ステップＡ１０ｇ
転送終了指示入力を確認して処理を分岐する。
【００９３】
ステップＡ１０ｈ
転送処理を終了する。
【００９４】
図１３は、台本表示装置３における本体処理部３１のＣＰＵ３１２が実行する表示処理のフローチャートである。
【００９５】
ステップＢ１
電源がオンすると、ＬＣＤ表示器３４に図２７に示すように、初期画像３４１を表示する。
【００９６】
ステップＢ２
初期画像３４１のボタン「起動」３４１ａが押されると表示処理プログラムを起動する。
【００９７】
ステップＢ３
外部メモリスロット３６に装着された外部メモリ２に格納されている台本コンテンツ情報ファイルを読み出す。
【００９８】
ステップＢ４
表示処理設定メニュー画像を表示する。このメニュー画像は、この実施例では、図６に示すように、先頭のファイルの台本コンテンツ画像４１と共に補助画像領域３４２に表示する指示入力ボタン３５１ａ〜３５１ｎの形態で表示する。
【００９９】
ステップＢ５
入力タブレット３５から出力する指示入力情報を入力する。
【０１００】
ステップＢ６
入力タブレット３５からの指示入力に基づいて該当する処理に分岐する。
【０１０１】
ステップＢ７
ボタン「ペン種別」３５１ｍが押されたことによる指示入力があった場合は、図８に示すように、パラメータ設定画像３５３を表示し、ペンの太さを選択的に指示入力させて設定する。
【０１０２】
ステップＢ８
パラメータ設定画像３５３におけるペンの色を選択的に指示入力させて設定してステップＢ５に戻る。
【０１０３】
ステップＢ９
ボタン「設定」３５１ｈが押されたことによる指示入力があった場合は、図７に示すようなパラメータ設定画像３５２を表示し、タッチスイッチ設定ボタン「頁進行向き表示」３５１ｎの頁歩進仕様を選択的に指示入力させて設定する。この頁歩進仕様設定処理ステップＢ９の詳細を図１４を参照して説明する。
【０１０４】
ステップＢ９ａ
パラメータ設定画像３５２を表示し、表示画面の主画像領域３４１の左右半分の領域（タッチスイッチ）をタッチすることによる「進む」，「戻る」の指示内容を選択的に指示入力させて設定する。
【０１０５】
ステップＢ９ｂ
表示画面の主画像領域３４１の右半分領域のタッチが「進む」，「戻る」の何れに設定されたかを確認して処理を分岐する。
【０１０６】
ステップＢ９ｃ
表示画面の主画像領域３４１の右半分領域のタッチが「進む」に設定された場合は、タッチスイッチボタン「頁進行向き表示」３５１ｎの頁進行方向を示す表記が右方向を指すように設定する。
【０１０７】
ステップＢ９ｄ
表示画面の主画像領域３４１の右半分領域のタッチが「戻る」に設定された場合は、タッチスイッチ設定ボタン「頁進行向き表示」３５１ｎの頁進行方向を示す表記が左方向を指すように設定する。
【０１０８】
ステップＢ１０
パラメータ設定画像３５２における頁更新仕様（半頁分割表示遅れ時間指定）を選択的に指示入力させて設定する。
【０１０９】
ステップＢ１１
パラメータ設定画像３５２における画面表示の表示上下正規／逆転仕様を選択的に指示入力させて設定し、ステップＢ５に戻る。
【０１１０】
ステップＢ１２
ボタン「ファイル」３５１ｇが押されたことによる指示入力があった場合は、登録されている台本コンテンツ情報ファイルの表示／設定処理を実行する。
【０１１１】
ステップＢ１３
ボタン「書き込み」３５１ｉが押されたことによる指示入力があった場合は、画面書き込みモードとなって書き込み入力を受け付ける。
【０１１２】
ステップＢ１４
ボタン「部分削除」３５１ｊ，「一括削除」３５１ｋが押されたことによる指示入力があった場合は、一部削除または一括削除機能を有効にする。
【０１１３】
ステップＢ１５
ボタン「頁進行向き表示」３５１ｎからタッチスイッチを実現する指示入力があった場合は、タッチスイッチ設定の有無を確認して処理を分岐する。
【０１１４】
ステップＢ１６
タッチスイッチパラメータ設定画像３５２に設定された頁歩進仕様を頁更新パラメータとしてセットする。
【０１１５】
ステップＢ１７
タッチスイッチパラメータ設定画像３５２に設定された頁更新仕様（半頁分割表示遅れ時間）を頁更新パラメータとしてセットする。
【０１１６】
ステップＢ１８
セットした頁パラメータに従った頁更新処理を実行する。この頁更新処理ステップＢ１８の詳細を図１５を参照して説明する。
【０１１７】
ステップＢ１８ａ
主画像領域３４１のタッチ指示入力の有無を確認する。
【０１１８】
ステップＢ１８ｂ
タッチ指示入力のタッチ部位が主画像領域３４１の左右半分領域の何れの領域かを確認して処理を分岐する。
【０１１９】
ステップＢ１８ｃ
主画像領域３４１の右半分領域をタッチした指示入力の場合は、ステップＢ１６で設定した頁更新パラメータ（頁歩進仕様）を確認して処理を分岐する。
【０１２０】
ステップＢ１８ｄ
主画像領域３４１の左半分領域をタッチした指示入力の場合は、ステップＢ１６で設定した頁更新パラメータ（頁歩進仕様）を確認して処理を分岐する。
【０１２１】
ステップＢ１８ｅ
ステップＢ１８ｃにおいて、頁更新パラメータ（頁歩進仕様）に主画像領域３４１の右半分領域がタッチされたときに「進む」が設定されている場合、ステップＢ１８ｄにおいて、頁更新パラメータ（頁歩進仕様）に主画像領域３４１の左半分領域がタッチされたときに「進む」が設定されている場合には、ステップＢ１６で設定した頁更新パラメータ（頁更新仕様）を確認して処理を分岐する。
【０１２２】
ステップＢ１８ｆ
頁更新パラメータ（頁更新仕様）に「遅れ時間無し」が設定されているときには、直ちに１頁進める。
【０１２３】
ステップＢ１８ｇ
ステップＢ１８ｃにおいて、頁更新パラメータ（頁歩進仕様）に主画像領域３４１の右半分領域がタッチされたときに「戻る」が設定されている場合、ステップＢ１８ｄにおいて、頁更新パラメータ（頁歩進仕様）に主画像領域３４１の左半分領域がタッチされたときに「戻る」が設定されている場合には、ステップＢ１６で設定した頁更新パラメータ（頁更新仕様）を確認して処理を分岐する。
【０１２４】
ステップＢ１８ｈ
頁更新パラメータ（頁更新仕様）に「遅れ時間無し」が設定されているときには、直ちに１頁戻す。
【０１２５】
ステップＢ１８ｉ
ステップＢ１８ｅ，１８ｇにおいて、遅れ時間（１秒，２秒，３秒）の設定を確認した場合には、タッチされた半分の領域の頁を直ちに更新し、他の半分の領域の頁を設定された遅れ時間経過後に更新する。
【０１２６】
ステップＢ１９
図６に示した頁更新ボタン「進１」，「戻１」，「進２」，「戻２」，「進３」，「戻３」３５１ａ〜３５１ｆが押されることによる指示入力の有無を確認して処理を分岐する。
【０１２７】
ステップＢ２０
ボタン「進１」３５１ａ，「戻１」３５１ｂによる指示入力の場合には、１頁の歩進／戻る処理を実行する。
【０１２８】
ステップＢ２１
ボタン「進２」３５１ｃ，「戻２」３５１ｄによる指示入力の場合には、数頁の歩進／戻る処理を実行する。
【０１２９】
ステップＢ２２
ボタン「進３」３５１ｅ，「戻３」３５１ｆによる指示入力の場合には、数十頁の歩進／戻る処理を実行する。
【０１３０】
ここで、図２８を参照して頁更新の仕組みを説明する。入力された台本コンテンツ情報ファイルの各頁の内容ａ〜ｊは、そのトップアドレスを頁アドレスインデックステーブル＃１〜＃１０に格納する。この頁アドレスインデックステーブル＃１〜＃１０は、図６に示したボタン「進１」，「戻１」，「進２」，「戻２」，「進３」，「戻３」３５１ａ〜３５１ｆが押されることによる指示入力について、設定された重みで示す歩進数（１頁、３頁、１０頁）に応じてインデックステーブルに加算して目的の頁のコンテンツトップアドレス（頁更新先アドレス）を求める。
【０１３１】
本発明の台本編集装置および台本表示装置は、台本コンテンツに限らず、台本以外のコンテンツを電子化して編集および表示するコンテンツ情報編集装置およびコンテンツ情報表示装置として実施することができる。
【図面の簡単な説明】
【０１３２】
【図１】実施例１の台本編集装置のハードウェアのブロック図である。
【図２】実施例１の台本表示装置のハードウェアのブロック図である。
【図３】実施例１の台本編集装置の機能ブロック図である。
【図４】実施例１の台本編集装置におけるコンテンツ情報編集処理部の機能ブロック図である。
【図５】実施例１の台本表示装置の機能ブロック図である。
【図６】実施例１の台本表示装置のＬＣＤ表示器に台本コンテンツ画像と指示入力ボタンを表示した表示画面である。
【図７】実施例１の台本表示装置のＬＣＤ表示器に台本コンテンツ画像と指示入力ボタンとパラメータ設定画像を表示した表示画面である。
【図８】実施例１の台本表示装置のＬＣＤ表示器に台本コンテンツ画像と指示入力ボタンとパラメータ設定画像を表示した表示画面である。
【図９】実施例１の台本編集装置における本体処理部のＣＰＵが実行する編集処理のフローチャートである。
【図１０】実施例１の台本編集装置における本体処理部のＣＰＵが実行するスキャナ入力処理のフローチャートである。
【図１１】実施例１の台本編集装置における本体処理部のＣＰＵが実行するコンテンツ情報編集処理のフローチャートである。
【図１２】実施例１の台本編集装置における本体処理部のＣＰＵが実行する台本コンテンツ情報出力処理のフローチャートである。
【図１３】実施例１の台本表示装置における本体処理部のＣＰＵが実行する表示処理のフローチャートである。
【図１４】実施例１の台本表示装置における本体処理部のＣＰＵが実行する頁歩進仕様設定処理のフローチャートである。
【図１５】実施例１の台本表示装置における本体処理部のＣＰＵが実行する頁更新処理のフローチャートである。
【図１６】実施例１の台本編集装置の初期画像表示画面である。
【図１７】実施例１の台本編集装置の編集機能設定メニュー画像表示画面である。
【図１８】実施例１の台本編集装置のスキャナ入力設定メニュー画像表示画面である。
【図１９】実施例１の台本編集装置の頁読み込み画像表示画面である。
【図２０】実施例１の台本編集装置の頁終了／続行選択画像表示画面である。
【図２１】実施例１の台本編集装置の白黒反転と画像回転設定メニュー画像表示画面である。
【図２２】実施例１の台本編集装置の見開き頁結合画像表示画面である。
【図２３】実施例１の台本編集装置のトリミング指定画像表示画面である。
【図２４】実施例１の台本編集装置のトリミング領域指定画像表示画面である。
【図２５】実施例１の台本編集装置の画像出力設定メニュー画像表示画面である。
【図２６】実施例１の台本編集装置のファイル転送設定画像表示画面である。
【図２７】実施例１の台本表示装置の初期画像表示画面である。
【図２８】実施例１の台本表示装置における頁更新の仕組み説明図である。
【符号の説明】
【０１３３】
１…台本編集装置、２…外部メモリ、３…台本表示装置、１１…本体処理部、１３…イメージスキャナ、１４…ＬＣＤ表示器、１５…入力タブレット、３１…本体処理部、３４…ＬＣＤ表示器、３５…入力タブレット、１１３０…コンテンツ情報編集処理部。
【図１】
2005080178.tif 000003
【図２】
2005080178.tif 000004
【図３】
2005080178.tif 000005
【図４】
2005080178.tif 000006
【図５】
2005080178.tif 000007
【図６】
2005080178.tif 000008
【図７】
2005080178.tif 000009
【図８】
2005080178.tif 000010
【図９】
2005080178.tif 000011
【図１０】
2005080178.tif 000012
【図１１】
2005080178.tif 000013
【図１２】
2005080178.tif 000014
【図１３】
2005080178.tif 000015
【図１４】
2005080178.tif 000016
【図１５】
2005080178.tif 000017
【図１６】
2005080178.tif 000018
【図１７】
2005080178.tif 000019
【図１８】
2005080178.tif 000020
【図１９】
2005080178.tif 000021
【図２０】
2005080178.tif 000022
【図２１】
2005080178.tif 000023
【図２２】
2005080178.tif 000024
【図２３】
2005080178.tif 000025
【図２４】
2005080178.tif 000026
【図２５】
2005080178.tif 000027
【図２６】
2005080178.tif 000028
【図２７】
2005080178.tif 000029
【図２８】
2005080178.tif 000030